(57)【特許請求の範囲】
【請求項１】
沿岸部から取水する取水路の開口部に上部が上記取水路から外側へ突出するよう設けられ且つ上記開口部において上記取水路内の取水から塵芥を除去する除塵装置を上記取水路側へ遮蔽し、上記取水の上記開口部からの噴出を防止する取水噴出防止装置であって、上記取水噴出防止装置は、上記開口部において上記除塵装置を外部から遮蔽するフランジ付き遮蔽体と、上記遮蔽体を上記開口部に固定するために上記開口部全周に沿って設けられた枠体と、上記フランジを介して上記遮蔽体を上記枠体に着脱可能に締結する締結部材と、を備え、上記遮蔽体は、上記除塵装置を蔽って上記開口部での上記取水の噴出圧力に耐え且つ全面が湾曲して形成された湾曲部と、上記湾曲部の両端を封止し且つ機械的に強化された一対の封止面と、上記湾曲部と上記封止面それぞれの下端全周に沿って形成された上記フランジと、を有し、上記遮蔽体が上記フランジにおいて上記締結部材を介して着脱可能に上記枠体に固定されることを特徴とする取水噴出防止装置。
【請求項２】
上記湾曲部は、断面が円弧状を呈することを特徴とする請求項１に記載の取水噴出防止装置。
【請求項３】
上記除塵装置は、上記取水路の流水中に浸漬され且つ回転軸を介して連結された左右一対の下部スプロケットと、上記一対の下部スプロケットの上方に配置され且つ回転軸を介して連結された左右一対の上部スプロケットと、上記一対の下部スプロケットと上記一対の上部スプロケット間に巻回された左右一対の無端状チェーンと、上記一対の無端状チェーン間に配置され且つそれぞれ所定間隔を空けて上記無端状チェーンの全周に渡って取り付けられた複数の除塵手段と、上記遮蔽体を貫通する上記上部スプロケットの回転軸の一端に固定された駆動用スプロケットと、上記駆動用スプロケットを介して上記除塵手段を循環させる駆動源と、を備えていることを特徴とする請求項１または請求項２に記載の取水噴出防止装置。
【発明の詳細な説明】
【技術分野】
【０００１】
本発明は、沿岸部に立地する発電所等の大規模工場において海水または河川水（以下、「海水」で代表する。）を例えば冷却用水として取水する取水路に設置された除塵装置に関し、更に詳しくは、大津波による海水が除塵装置が設置された取水路の開口部から構内へ噴出することを防止する取水噴出防止装置に関する。
【背景技術】
【０００２】
原子力発電所、火力発電所等の大規模工場では大量の海水が冷却用水として取水して使用されている。使用後の冷却用水は温排水として排出される。これらの取水路にはそれぞれ開口部が形成され、それぞれの開口部には海水からクラゲ等の塵芥を除去する除塵装置（例えば、トラベルスクリーン）が設けられている。トラベリングスクリーンＳ１は、例えば図３に示すように、取水路Ｌの取水口に設けられた固定式バースクリーンまたはバー回転式スクリーン等の一次除塵装置Ｓ２の下流側に二次除塵装置として設置され、一次除塵装置Ｓ２の下流側で取水中に残存するクラゲ等の塵芥を二次除去するものである。
【０００３】
上記トラベリングスクリーンＳ１は、図３に示すように、取水路Ｌの取水中に浸漬して配設された左右一対の下部スプロケット１Ａと、左右一対の下部スプロケット１Ａと対をなして開口部Ｏの上方に設けられた左右一対の上部スプロケット１Ｂと、これら両スプロケット１Ａ、１Ｂの間に巻回された左右一対の無端状のキャリアチェーン２と、一対のキャリアチェーン２それぞれの全周に渡って等間隔に複数取り付けられた金網製濾過体からなるバスケット３と、を備えている。
【０００４】
一対の上部スプロケット１Ｂは、図３に示すように取水路Ｌの開口部Ｏの上方に配置され、一方の上部スプロケット１Ｂとモータのプーリ４の間に無端状の駆動チェーン５を介してに巻回されている。上下のスプロケット１Ａ、１Ｂ、キャリアチェーン２、及びバスケット３はいずれもハウジング６及び取水路Ｌ内に収納されている。
【０００５】
従って、モータが駆動すると、プーリ４及び駆動チェーン５を介して上部スプロケット１Ｂが回転し、キャリアチェーン２及び下部スプロケット１Ａを介してバスケット３が上下方向に循環する間に取水の塵芥を捕捉し、上部スプロケット１Ｂで反転する。バスケット３の反転により、バスケット３中の塵芥が自然落下して固定シュート７を経由して塵芥トラフ８内に集められる。
【０００６】
ところで、トラベルスクリーンＳ１が設置された大規模工場には津波対策として沿岸部に沿って防潮堤Ｗが設置されている。ところが、昨年の東日本大震災において大津波による海水が防潮堤を乗り越え、構内の電気機器等の各種の機器を浸水させ、非常用電源等の電気機器が損壊し、延いては発電プラントを損壊する問題が発生した。そのため、大津波が工場内への侵入を防止するために、如何なる大津波にも耐えられる防潮堤に改築することが求められている。
【発明の概要】
【発明が解決しようとする課題】
【０００７】
しかしながら、複数系列の取水路Ｌが設けられた原子力発電所等の大規模工場では、仮に大津波に耐える防潮堤を構築して防潮堤からの浸水を防止することができるとしても、防潮堤の内側の構内にはトラベルスクリーンＳ１用の開口部Ｏが設けられているため、大津波による海水が取水路Ｓ１の開口部Ｏから噴出し、ハウジング６を突き破って構内の各種の電気機器等を浸水させ、原子力発電所等の非常用電源を損壊し、延いては原子力発電所本体に悪影響を及ぼす虞がある。
【０００８】
本発明は、上記課題を解決するためになされたもので、津波による海水が工場内に設けられた取水路の開口部から構内へ噴出するのを防止して構内の各種の機器を浸水から防止することができる取水噴出防止装置を提供することを目的としている。
【課題を解決するための手段】
【０００９】
本発明の請求項１に記載の取水噴出防止装置は、沿岸部から取水する取水路の開口部に上部が上記取水路から外側へ突出するよう設けられ且つ上記開口部において上記取水路内の取水から塵芥を除去する除塵装置を上記取水路側へ遮蔽し、上記取水の上記開口部からの噴出を防止する取水噴出防止装置であって、上記取水噴出防止装置は、上記開口部において上記除塵装置を外部から遮蔽するフランジ付き遮蔽体と、上記遮蔽体を上記開口部に固定するために上記開口部全周に沿って設けられた枠体と、上記フランジを介して上記遮蔽体を上記枠体に着脱可能に締結する締結部材と、を備え、上記遮蔽体は、上記除塵装置を蔽って上記開口部での上記取水の噴出圧力に耐え且つ全面が湾曲して形成された湾曲部と、上記湾曲部の両端を封止し且つ機械的に強化された一対の封止面と、上記湾曲部と上記封止面それぞれの下端全周に沿って形成された上記フランジと、を有し、上記遮蔽体が上記フランジにおいて上記締結部材を介して着脱可能に上記枠体に固定されることを特徴とするものである。
【００１１】
また、本発明の請求項２に記載の取水噴出防止装置は、請求項１に記載の発明において、上記湾曲部は、断面が円弧状を呈することを特徴とするものである。
【００１２】
また、本発明の請求項３に記載の取水噴出防止装置は、請求項１または請求項２に記載の発明において、上記除塵装置は、上記取水路の流水中に浸漬され且つ回転軸を介して連結された左右一対の下部スプロケットと、上記一対の下部スプロケットの上方に配置され且つ回転軸を介して連結された左右一対の上部スプロケットと、上記一対の下部スプロケットと上記一対の上部スプロケット間に巻回された左右一対の無端状チェーンと、上記一対の無端状チェーン間に配置され且つそれぞれ所定間隔を空けて上記無端状チェーンの全周に渡って取り付けられた複数の除塵手段と、上記遮蔽体を貫通する上記上部スプロケットの回転軸の一端に固定された駆動用スプロケットと、上記駆動用スプロケットを介して上記除塵手段を循環させる駆動源と、を備えていることを特徴とするものである。
【発明の効果】
【００１３】
本発明によれば、津波による海水が工場内に設けられた取水路の開口部から構内へ噴出するのを取水路の開口部に設けられた枠体に固定された全面が湾曲して形成された湾曲部とその両端に形成された補強封止面を有する遮蔽体によって防止して構内の各種の機器を浸水から防止することができる取水噴出防止装置を提供することができる。
【図面の簡単な説明】
【００１４】
【図１】トラベルスクリーンの取水路の開口部に適用された本発明の取水噴出防止装置の一実施形態を示す断面図である。
【図２】図１に示す取水噴出防止装置の平面図である。
【図３】トラベルスクリーンが適用された取水路の一例を示す要部断面図である。
【発明を実施するための形態】
【００１５】
以下、図１、図２に示す実施形態に基づいて本発明の取水噴出防止装置について説明する。本実施形態の取水噴出防止装置１０は、図１に示すように沿岸部に立地する原子力発電所、火力発電所等の大規模工場に設けられた取水路Ｌの開口部Ｏに固定されて、開口部Ｏに配置された除塵装置（トラベルスクリーン）２０を取水路Ｌ側へ封止して遮蔽するように構成されている。
【００１６】
即ち、大規模工場には津波対策として、例えば２０メートルを超える津波にも耐えられる防潮堤（図３のＷに相当する）が設けられ、この防潮堤によって海水の構内への侵入を防止している。また、大規模工場には大量の海水を冷却用水として取水する複数系列の取水路Ｌが設けられている。複数系列の取水路Ｌには、それぞれ海水からクラゲ等の塵芥を除去するトラベルスクリーン２０が設けられている。トラベルスクリーン２０は、例えば図１、２に示すように各取水路Ｌの開口部Ｏを貫通して設けられている。取水路Ｌは開口部Ｏを介して大気に開放されているため、大津波に襲われると、防潮堤の外側で潮位が急激に上昇し、取水路Ｌ内を流れる取水が開口部Ｏから構内へ噴出して侵入し、構内の電気機器等の各種の機器を浸水させて損壊する虞がある。
【００１７】
そこで、図１、図２に示すように本実施形態の取水噴出防止装置１０が複数系列の取水路Ｌそれぞれの開口部Ｏに設けられ、これらの取水噴出防止装置１０が取水路Ｌから構内への取水の噴出を防止するようにしてある。本実施形態の取水噴出防止装置１０は、図１、図２に示すように、トラベルスクリーン２０を取水路側へ封止して遮蔽する遮蔽体１１と、遮蔽体１１が固定される第１の枠体１２と、を備えている。第１の枠体１２は遮蔽体１１を固定するために第２の枠体１３上に固定されている。第２の枠体１３は、下部が取水路Ｌの上壁面Ｌ１に埋設されて固定されている。即ち、取水噴出防止装置１０は、トラベルスクリーン２０を収納するハウジングに代えて設けられたもので、第１の枠体１２を介して既設の第２の枠体１３上に固定される。
【００１８】
遮蔽体１１は、図１、図２に示すように、取水路Ｌから噴出する取水の圧力に耐えるように、例えば半円筒形状に形成された湾曲部（以下、「耐圧部」と称する。）１１Ａと、耐圧部１１Ａの外周縁部に形成されたフランジ１１Ｂと、半円筒形状の耐圧部１１Ａ両端の平坦な封止面１１Ｃを補強する複数の補強部材１１Ｄと、を有し、フランジ１１Ｂが複数の締結部材（例えば、ボルト）１１Ｅによって第１の枠体１２に締結、固定されている。ここでフランジ１１Ｂ及びボルト１１Ｅは、遮蔽体１１を第１の枠体１２へ固定するための締結手段として構成されている。この締結手段は、遮蔽体１１を第１の枠体１２へ締結、固定することができるものであれば、フランジ１１及びボルト１１Ｅ以外の他の部材を用いることができる。このように遮蔽体１０は、湾曲した耐圧部１１Ａを有するため、津波の潮位に即した水圧（例えば、２ｋｇ／ｃｍ２程度）が取水路Ｌの開口部Ｏから耐圧部１１Ａに作用しても、水圧は半円筒状の耐圧部１１Ａで分散されて耐圧部１１Ａがその水圧に耐え、開口部Ｏから構内への取水の噴出を防止し、構内に配置された各種の機器を浸水から防止し、延いては各種の機器の浸水による損壊を防止することができる。
【００１９】
遮蔽体１１の封止面１１Ｃは、平坦面であっても鏡板のように曲面であっても良い。封止面１１Ｃが平坦面の場合には図２に示すように補強部材１１Ｄで補強される。遮蔽体１１の耐圧部１１Ａには軸方向で所定間隔に円弧状の補強部材(図示せず)を設けることもできる。遮蔽体１１は、図１に示すように二分割されている。二分割された遮蔽体１１の境界にはそれぞれフランジ１１Ｆが形成され、それぞれのフランジにおいてボルト等の締結部材(図示せず)によって接合されて遮蔽体１１として一体化している。このように遮蔽体１１が二分割されることで、遮蔽体１１が搬送し易く、取り扱いが容易になる。また、遮蔽体１１が半円筒状の耐圧部１１Ａを主体に構成されているため、軽量化されていると共に比較的簡単に加工されるようになっている。
【００２０】
また、遮蔽体１１を固定、支持する第１の枠体１２は、図１、図２に示すように、平面形状が長方形の筒状部１２Ａと、筒状部１２Ａの上端に延設された幅広の上フランジ１２Ｂと、筒状部１２Ａの下端に延設された下フランジ１２Ｃと、を有し、筒状部１２Ａが上下のフランジ１２Ｂ、１２Ｃによって補強された耐圧構造になっている。上フランジ１２Ｂには遮蔽体１１のフランジ１１Ｂが配置され、フランジ同士が締結部材１１Ｅによって締結、固定されている。第１の枠体１２は下フランジ１２Ｃを介して第２の枠体１３の上フランジ１３Ａにボルト等の締結部材１２Ｄによって締結、固定されている。
【００２１】
次に、図１、図２に基づいてトラベルスクリーン２０について説明する。トラベルスクリーン２０としては、図３に示す従来のトラベルスクリーンをそのまま使用することができる。このトラベルスクリーン２０は、図１、図２に示すように、取水路Ｌの底部に配置された左右一対の下部スプロケット(図示せず)と、これらの下部スプロケットと対をなして開口部Ｏの上方に配置された左右一対の上部スプロケット２１と、一対の下部スプロケットと一対の上部スプロケット２１の間に巻回された左右一対の無端状のキャリアチェーン２２と、これらのキャリアチェーン２２の全周に渡って等間隔を空けて取り付けられた複数のバスケット２３（図２参照）と、を備えている。
【００２２】
バスケット２３は、図２に示すように回転軸２４の左右一対のスプロケットの間の全長に沿って金網製の濾過体として形成されている。図２ではバスケット２３は細長形状に形成され、例えば複数の仕切を介して複数のバスケット部２３Ａとして区画されている。塵芥の捕捉手段は、塵芥を捕捉することができれば、特定の形態に制限されるものではない。左右一対の上部スプロケット２１は、図１、図２に示すように回転軸２４を介して連結されている。左右一対の下部スプロケットは回動可能に連結軸に取り付けられている。
【００２３】
上部スプロケット２１の回転軸２４の一端は遮蔽体１１の封止面１１Ｃを貫通して延設され、この回転軸２４の延設端に駆動用スプロケット２５が固定されている。図１に示すように駆動用スプロケット２５の斜め上にはモータ２６が設けられ、このモータ２６のプーリ２６Ａと駆動用スプロケット２５との間に駆動チェーン２７が巻回されている。モータ２６は、複数の支柱で支持された架台２８上に配置されている。
【００２４】
次に、動作について説明する。平常時には、トラベルスクリーン２０が駆動すると、モータ２６及び駆動チェーン２７、駆動用スプロケット２５を介して上部スプロケット２１が回転する。上部スプロケット２１の回転によりキャリアチェーン２２が上下方向へ循環移動すると、複数のバスケット２３は取水から開口部Ｏ上方へ上昇する。この時、複数のバスケット２３が取水のクラゲ等の塵芥を捕捉する。複数のバスケット２３が順次上部スプロケット２１で反転する間に内部の塵芥を塵芥トラフ２９へ排出する。トラベルスクリーン２０によって塵芥が除去された取水は冷却用水として冷却装置等へ供給される。塵芥トラフ２９に集積された塵芥は、廃棄処理される。
【００２５】
トラベルスクリーン２０が駆動している時に、大地震が発生し大津波が工場の防潮堤に達する。と同時に取水口Ｌ内の取水の圧力が急激に増し、トラベルスクリーン２０が設置された開口部Ｏから取水が噴出しようとする。この時、取水噴出防止装置１０の遮蔽体１１に大きな水圧が作用するが、遮蔽体１１には耐圧部１１Ａが形成されているため、この耐圧部１１Ａにおいて水圧が分散されて遮蔽体１１がその形態を保持し、開口部Ｏからの取水の噴出を防止し、構内の各種の電気機器を浸水から防止し、延いては各種の電気機器の損壊を防止することができる。そのため、仮令、大規模工場が原子力発電所であっても構内の補助電源等の各種の機器の損傷が防止され、発電を継続することができる。
【００２６】
以上説明したように本実施形態によれば、取水路Ｌの開口部Ｏにトラベルスクリーン２０を収納するハウジングに代えてトラベルスクリーン２０を取水路Ｌ側へ遮蔽する取水噴出防止装置１０を設け、取水噴出防止装置１０の遮蔽体１１に取水路Ｌからの取水の噴出圧力を受ける半円筒状の耐圧部１１Ａを設けたため、仮令、大津波が襲って取水路Ｌ内の取水路の水圧が上昇し、開口部Ｏから噴出しようとしても遮蔽体１１の耐圧部１１Ａにおいて取水からの水圧を分散して取水の構内への噴出を防止して構内に設置された各種の電気機器等の機器を浸水から防止し、延いては電気機器等の各種の機器を浸水による損壊から防止することができる。
【００２７】
また、本実施形態によれば、遮蔽体１１を固定するために開口部Ｏに沿って設けられた第１の枠体１２を備え、遮蔽体１１は、外周縁に形成されたフランジ１１Ｂ及び複数のボルト１１Ｅを介して第１の枠体１２の上フランジ１２Ｂに着脱可能に締結、固定されるため、遮蔽体１１が取水からの大きな水圧を受けても遮蔽体１１が開口部Ｏから外れることがなく、取水の噴出を確実に防止することができる。また、本実施形態によれば、遮蔽体１１の耐圧部１１Ａが半円筒状を呈するため、遮蔽体１１を軽量化することができると共に遮蔽体１１自体を比較的簡単に製作することができる。
【００２８】
尚、本発明は上記実施形態に何等制限されるものではなく、例えば、耐圧部１１Ａの湾曲形状を半円筒状に限らず、ドーム形状等の種々の形態を採用することができる。
【符号の説明】
【００２９】
１０    取水噴出防止装置
１１    遮蔽体
１１Ａ  耐圧部（湾曲部）
１１Ｂ  フランジ（締結部材）
１１Ｅ  ボルト（締結部材）
１２    第１の枠体
１３    第２の枠体
２０    トラベルスクリーン（除塵装置）
２１    上部スプロケット
２２    キャリアチェーン（無端状チェーン）
２３    バスケット（除塵手段）
２４    回転軸
２５    駆動用スプロケット
２６    モータ（駆動源）
【図１】
0005960495.tif 000002
【図２】
0005960495.tif 000003
【図３】
0005960495.tif 000004